(57)【要約】【課題】待機中（スリープ状態）の省電力表示モードにおいて、ＬＣＤだけではなく、制御部などの低消費電力化も行うことができるようにした情報処理装置を提供することにある。【解決手段】本発明に関わるＰＤＡは、通常表示モードを制御する主制御部１と、省電力表示モードを制御する省電力表示制御部２とを備え、前記通常表示モード時には、前記主制御部１がアクティブ状態となって前記通常表示モードを制御し、前記省電力表示モード時には、前記主制御部１がスリープ状態になり、前記省電力表示制御部２がアクティブ状態となって前記省電力表示モードを制御する。【選択図】  図１
2004288087.tif 000002
【特許請求の範囲】
【請求項１】
通常表示モードおよび省電力表示モードを有する情報処理装置にあって、
前記通常表示モードおよび前記省電力表示モードで表示制御される表示手段と、前記情報処理装置を制御すると共に前記通常表示モード時にはアクティブ状態となって前記表示手段を制御し、前記省電力表示モード時にはスリープ状態となる主制御手段と、
前記省電力表示モード時にはアクティブ状態となって前記表示手段を制御し、前記通常表示モード時にはスリープ状態となる前記省電力表示制御手段と
を具備することを特徴とする情報処理装置。
【請求項２】
前記主制御手段は、時刻の制御を行う第１のクロック部と前記情報処理装置を制御する第１の制御部とを備え、
前記スリープ状態では少なくとも前記第１の制御部がオフ状態にあり、前記アクティブ状態では前記第１のクロック部および第１の制御部がオン状態となることを特徴とする請求項１に記載の情報処理装置。
【請求項３】
前記省電力表示制御手段は、時刻の制御を行う第２のクロック部と前記表示手段の表示制御を行う第２の制御部とを備え、
前記スリープ状態では少なくとも前記第２の制御部がオフ状態にあり、前記アクティブ状態では前記第２のクロック部および第２の制御部がオン状態にあることを特徴とする請求項１記載の情報処理装置。
【請求項４】
通常表示モードおよび省電力表示モードを有する情報処理装置にあって、
前記通常表示モードおよび前記省電力表示モードで表示制御される表示手段と、時刻の制御を行う第１のクロック部と前記情報処理装置を制御する第１の制御部とを有し、前記通常表示モード時には前記第１のクロック部および第１の制御部がオン状態となって前記表示手段を制御し、前記省電力表示モード時には少なくとも前記第１の制御部がオフ状態となる主制御手段と、
時刻の制御を行う第２のクロック部と前記表示手段の表示制御を行う第２の制御部とを有し、前記省電力表示モード時には前記第２のクロック部および第２の制御部がオン状態となって前記表示手段を制御し、前記通常表示モード時には少なくとも前記第２の制御部がオフ状態となる前記省電力表示制御手段と
を具備することを特徴とする情報処理装置。
【請求項５】
前記通常表示モード時には前記第１のクロック部が時刻制御を行い、
前記通常表示モードから前記省電力表示モードへ移行時には前記第１のクロック部からの時刻情報を前記第２のクロック部に設定し、
前記省電力表示モード時には前記第２のクロック部が時刻制御を行い、
前記省電力表示モードから前記通常表示モードへ移行時には前記第２のクロック部からの時刻情報を前記第１のクロック部に設定する
ことを特徴とする請求項４に記載の情報処理装置。
【請求項６】
前記第１のクロック部の時刻精度は前記第２のクロック部の時刻精度より高くし、
前記第１のクロック部は常時時刻カウントを行い、
前記通常表示モードから前記省電力表示モードへ移行時には前記第１のクロック部からの時刻情報を前記第２のクロック部に設定し、
前記省電力表示モード時には前記第２のクロック部が時刻カウントを行って生成した時刻情報を前記第２の制御部によって前記表示手段に表示する
ことを特徴とする請求項４記載の情報処理装置。
【請求項７】
前記省電力表示モードから前記通常表示モードへ移行時には前記第２のクロック部からの時刻情報を前記第１のクロック部に設定しないことを特徴とする請求項６記載の情報処理装置。
【請求項８】
前記省電力表示モード時には一定時間毎に前記第１のクロック部からの時刻情報を前記第２のクロック部に設定することを特徴とする請求項６記載の情報処理装置。
【請求項９】
前記第２のクロック部の時刻精度は前記第１のクロック部の時刻精度より高くし、
前記第２のクロック部は常時時刻カウントを行い、
前記省電力表示モード時には前記第２のクロック部が時刻カウントを行って生成した時刻情報を前記第２の制御部によって前記表示部に表示し、
前記省電力表示モードから前記通常表示モードへ移行時には前記第２のクロック部からの時刻情報を前記第１のクロック部に設定し、
前記通常表示モード時には前記第１のクロック部が時刻カウントを行う
ことを特徴とする請求項４に記載の情報処理装置。
【請求項１０】
前記通常表示モードから前記省電力表示モードへ移行時は前記第１のクロック部からの時刻情報を前記第２のクロック部に設定しないことを特徴とする請求項９記載の情報処理装置。
【請求項１１】
前記通常表示モード時には一定時間毎に前記第２のクロック部からの時刻情報を前記第１のクロック部に設定することを特徴とする請求項９記載の情報処理装置。
【請求項１２】
通常表示モードおよび省電力表示モードを有する情報処理装置にあって、
前記通常表示モードおよび前記省電力表示モードで表示制御される表示手段と、前記情報処理装置を制御する第１の制御部とを有し、前記通常表示モード時には前記第１の制御部がオン状態となって前記表示手段を制御し、前記省電力表示モード時には前記第１の制御部がオフ状態となる主制御手段と、
時刻の制御を行うクロック部と、前記表示手段の表示制御を行う第２の制御部とを有し、前記省電力表示モード時には前記クロック部および第２の制御部がオン状態となって前記表示手段を制御し、前記通常表示モード時には少なくとも前記第２の制御部がオフ状態となる前記省電力表示制御手段と
を具備することを特徴とする情報処理装置。
【請求項１３】
前記通常表示モード時に前記クロック部からの時刻情報を前記第１の制御手段に設定することを特徴とする請求項１２記載の情報処理装置。
【発明の詳細な説明】
【０００１】
【発明の属する技術分野】
本発明は、表示手段を持つ携帯型の情報処理装置に関するもので、特に、表示用制御手段の低消費電力化を行う構成およびその制御に関する。
【０００２】
【従来の技術】
近年の携帯型の情報処理装置は、表示画面が大型化し、それに伴い、消費電力も増加している。
【０００３】
この消費電力を低減するために、ＬＣＤパネルの表示領域を複数に分割して表示する携帯端末が提案されている（例えば、特許文献１参照。）。
【０００４】
この特許文献１の携帯端末にあっては、表示情報が多い表示態様の時には、大きな表示領域に表示し、表示情報が少ない表示態様の時には、小さい表示領域に表示することにより、低消費電力化を行っている。
【０００５】
また、液晶パネルの表示領域を複数に分割する液晶表示装置が提案されている（例えば、特許文献２参照。）。
【０００６】
この特許文献２の液晶表示装置にあっては、表示すべき情報量の多少に基づいて、表示領域を部分表示領域に分割して表示することにより、低消費電力化を行っている。
【０００７】
【特許文献１】
特開２００１−１０３１５２号公報（第３−４頁、図１）
【０００８】
【特許文献２】
特開平６−９５６２１号公報（第２−３頁、図１）
【０００９】
【発明が解決しようとする課題】
ところで、上述した特許文献１および２に記載される従来の装置においては、制御部側に関しての低消費電力化の検討は何も行われておらず、ＬＣＤパネルの大型化に伴い制御部側の消費電力増加の問題があった。
【００１０】
本発明は、上記の問題点を解決するためになされたもので、制御部側の低消費電力化を行うことができるようにした情報処理装置を提供することを目的とする。
【００１１】
【課題を解決するための手段】
上記目的を達成するために、本発明の情報処理装置は、通常表示モードおよび省電力表示モードを有する情報処理装置にあって、前記通常表示モードおよび前記省電力表示モードで表示制御される表示手段と、前記情報処理装置を制御すると共に前記通常表示モード時にはアクティブ状態となって前記表示手段を制御し、前記省電力表示モード時にはスリープ状態となる主制御手段と、前記省電力表示モード時にはアクティブ状態となって前記表示手段を制御し、前記通常表示モード時にはスリープ状態となる前記省電力表示制御手段とを具備することを特徴とする。
【００１２】
【発明の実施の形態】
以下、本発明の実施の形態を図面を参照して説明する。
【００１３】
図１〜図１３は、本発明をＰＤＡ（ＰＥＲＳＯＮＡＬ  ＤＩＧＩＴＡＬ  ＡＳＳＩＳＴＡＮＴＳ）に適用した実施の形態を示す。この内、図１〜図７は、本発明の第１の実施の形態を示し、図１はＰＤＡの主要部のブロック図、図２はＰＤＡの電源制御回路の回路図、図３はＬＣＤの表示画面図の一例、図４はＰＤＡの表示制御を表わすタイムチャート、図５〜図７はＰＤＡの表示制御を表わすフローチャートである。
【００１４】
また、図８および図９は、本発明の第２の実施の形態を示し、図８はＰＤＡの主要部のブロック図、図９はＰＤＡの表示制御を表わすタイムチャートである。また、図１０および図１１は、本発明の第３の実施の形態を示し、図１０はＰＤＡの主要部のブロック図、図１１はＰＤＡの表示制御を表わすタイムチャートである。更に、図１２および図１３は、本発明の第４の実施の形態を示し、図１２はＰＤＡの主要部のブロック図、図１３はＰＤＡの表示制御を表わすタイムチャートである。
【００１５】
（第１の実施の形態）
本発明を適用したＰＤＡの第１の実施の形態について、図１〜図７を用いて説明する。
【００１６】
図１は、本発明を適用したＰＤＡの主要部のブロック図を示すもので、ＰＤＡの主要部は、主制御部１、省電力表示制御部２、主制御部１又は省電力表示制御部２からの表示データがＭＵＸ（マルチプレクサ）３によって選択されて表示されるＬＣＤ４などで構成されている。
【００１７】
主制御部１は、第１のクロック部１０、第１の制御部２０、キー入力部３０などで構成されており、ＰＤＡの主動作の制御およびそれに関する通常表示の制御を行う。
【００１８】
省電力表示制御部２は、第２のクロック部４０、第２の制御部５０などで構成されており、ＰＤＡの待機時の省電力表示制御を行う。
【００１９】
ＭＵＸ３は、主制御部１からのＭＵＸ切替信号２１ａに基づいて、主制御部１から出力される通常表示モードの表示データ２４ａと、省電力表示制御部２から出力される省電力モードの表示データ５１ａのいずれか１つを選択して、ＬＣＤ４へ供給する。
【００２０】
さて、主制御部１および省電力表示制御部２は、スリープ状態又はアクティブ状態に動作形態を切り替えることができる。スリープ状態では、ＰＤＡの主機能が停止して、必要最低限な機能のみが動作し、省電力状態となる。一方、アクティブ状態では、ＰＤＡの全機能が動作する。
【００２１】
その際、主制御部１および省電力表示制御部２は、それぞれ独立してスリープ状態又はアクティブ状態の切り替えが行われる。この切り替えを行うために、図１の点線で示したブロックへの供給電源がそれぞれ別々な制御ラインで電源制御されるようになっている。
【００２２】
主制御部１のスリープ状態では、第１の制御部２０の電源がオフ状態、第１のクロック部１０の電源がオフ状態、キー入力部３０の電源はオン状態にある。これは、スリープ状態時に、使用者によるキー操作をキー入力部３０が検出して、アクティブ状態に切り替える割り込み信号を発生するためである。アクティブ状態では、上記装置はすべてオン状態にある。このスリープ状態では、主機能を制御する消費電力の大きい第１の制御部２０の電源がオフ状態であることから、省エネ効果を発揮する。  省電力表示制御部２のスリープ状態では、第２の制御部５０の電源がオフ状態、第２のクロック部４０の電源が状況によりオン状態かオフ状態にある。アクティブ状態では、上記装置はすべてオン状態にある。
【００２３】
上記の電源制御について、第１のクロック部１０の電源制御回路を図２で説明する。第１のクロック部１０の「オン」入力端子に入力されたキー入力有り信号３０ａにより、フリップフロップ回路１４がセットされて、Ｑバー出力が低レベルとなる。このＱバー出力が低レベルになると、トランジスタ１５がオン状態となり、電源電圧Ｖｄｄが、第１のクロック部１０を構成するＲＴＣ回路（ＲＥＡＬ  ＴＩＭＥ  ＣＬＯＣＫ）１１およびＲＡＭ１３のＶｄｄ端子に供給されて、第１のクロック部１０がオン状態となる。
【００２４】
次に、第１のクロック部１０の「オフ」入力端子に中央処理部２１からの主制御スリープ信号２１ｄが入力されると、フリップフロップ回路１４はリセットされて、Ｑバー出力が高レベルとなる。このＱバー出力が高レベルになるとトランジスタ１５がオフとなり、第１のクロック部１０のＲＴＣ回路１１およびＲＡＭ１３への電源電圧Ｖｄｄの供給が停止し、第１のクロック部１０がオフ状態になる。
【００２５】
なお、第１のクロック部１０を構成するＲＴＣ回路１１やＲＡＭ１３に図２と同等の電源制御回路が内蔵されている場合は、図２に示す電源制御回路を設けることなく、ＲＴＣ回路１１やＲＡＭ１３のオン／オフ入力端子に信号３０ａ、２１ｄを直接入力することにより、同様の動作が行われる。
【００２６】
次に、各ブロックの詳細構成を説明する。第１のクロック部１０は、ＲＴＣ回路１１、水晶振動子１２、ＲＡＭ１３などで構成されており、時刻カウントを行うと共に、この第１のクロック部１０内で、時刻情報を保持することができる。
【００２７】
ＲＴＣ回路１１は、中央処理部２１を構成する汎用ＣＰＵチップ内に物理的に組み込まれているものを図示したものである。しかし、その電源制御は、上記の説明の通り系統によって制御される。
【００２８】
第１の制御部２０は、中央処理部２１、ＲＯＭ２２、ＲＡＭ２３、第１の表示コントローラ２４などで構成されている。中央処理部２１は、ＣＰＵやＩ／Ｏ制御部を内蔵し、ＲＯＭ２２のプログラムに従い、ＲＡＭ２３をワークエリアとして、ＰＤＡ全体を制御する。また、中央処理部２１は、ＬＣＤ４の表示モードの切り替えを行うため、ＭＵＸ切替信号２１ａをＭＵＸ３に出力する。第１の表示コントローラ２４は、ＰＤＡの主機能が動作している時の表示制御を行うもので、ＬＣＤ４の画像フォームへ変換した表示データ２４ａをＭＵＸ３に出力する。
【００２９】
この第１の制御部２０は、ＰＤＡ全体の主機能を制御する部分であり、消費電力が大きいために、図２と同等の電源制御回路により電源制御が行われる。この場合、中央処理部２１の主制御スリープ信号２１ｄによって第１の制御部２０自身の動作を停止させる。
【００３０】
キー入力部３０は、タッチキーなどで構成されており、使用者によりキー操作が行われる。このキー入力部３０は、ＰＤＡの主電源が入っている時は、常時、動作状態にある。
【００３１】
一方、省電力表示制御部２の第２のクロック部４０は、ＲＴＣ回路４１、水晶振動子４２、ＲＡＭ４３などで構成されており、時刻カウントを行うと共に、この第２のクロック部４０内で、時刻情報を保持することができる。また、第１のクロック部１０と同様な電源制御が行われる。この第２のクロック部４０では、中央処理部２１からの省電力表示アクティブ信号２１ｃが電源「オン」信号となり、中央処理部２１からの省電力表示スリープ信号２１ｂが電源「オフ」信号となる。
【００３２】
第２の制御部５０は、第２の表示コントローラ５１などで構成されており、第１の制御部２０と同様な電源制御が行われる。第２の表示コントローラ５１は、ＰＤＡの省電力表示モード時の表示制御を行うもので、ＬＣＤ４の画像フォームに変換した表示データ５１ａをＭＵＸ３に出力する。この第２の制御部５０は、中央処理部２１からの省電力表示アクティブ信号２１ｃおよびＲＴＣ回路４１からの１分経過信号４１ｂにより電源が「オン」となる。また、中央処理部２１からの省電力表示スリープ信号２１ｂにより電源「オフ」となる。
【００３３】
ＬＣＤ４は、通常表示モードと省電力表示モードとを有する。通常表示モードでは、図３（ａ）に示すように、表示画面の全体に表示を行い、また、表示色は全ての表示色によって表示される。省電力表示モードでは、図３（ｂ）に示すように、表示画面の一部を使って表示される、いわゆるパーシャル表示を行い、また、表示色は少ない表示色で表示される。
【００３４】
ＬＣＤ４は、よく知られているように、マトリクス状に配置された画素部分をＸＹ方向それぞれにダイナミックに走査して、ＸＹ方向の交点にある画素を順次表示して、ダイナミックに画素の表示を切り替えている。各画素のドライブ部分には、寄生容量があり、走査が終わった後の短時間は画像が残っているが、すぐに消える。そのため、静止画像であっても、その同一画像を、１秒間に数１０回の走査を繰り返し行うことによって画像が継続され、使用者に画像として認識される。
【００３５】
この同一画像は、ＬＣＤ４の外部から送り込んでもよいが、外部の負担を軽減するために、ＬＣＤ４内部にＲＡＭを有して、そこに画像を記憶している。そして、外部から新しい画像データが送り込まれないときには、ＬＣＤ４自体が、内部のＲＡＭに保存してある画像データを読み出して、走査を繰り返し行う、すなわち、自己リフレッシュが行われる。また、この自己リフレッシュは、画素に加える電圧の極性を反転しながら行われ、これはＬＣＤ画面の焼き付きを防止するためでもある。
【００３６】
ところで、このＲＡＭはＬＣＤ４内部に設けられるために、一般的には、コストなどを考慮して、大きな容量とはしないで、省電力表示モード用のパーシャル表示用の画面分に限定し、また表示色を限定して、ＲＡＭ容量を小さく抑えている。
【００３７】
従って、省電力表示モードにおいて、同一画像の時は、このＲＡＭを利用して、ＬＣＤ４が自己リフレッシュを行う。一方、通常表示モードにおいて、同一画像の時は、このＲＡＭ容量が小さくて同一画像を保持できないため、ＬＣＤ４の外部からＬＣＤ４に同一画像を送りこんで、ＬＣＤ４のリフレッシュを行う。
【００３８】
上記のように構成されたＬＣＤの表示制御について、図１、図４および図５を用いて説明する。
【００３９】
ＰＤＡが通常表示モードで動作している場合は、キー入力部３０から使用者によるキー入力がある間や、それに応じて第１の制御部２０が内部処理を行っている間の表示モードである（図４のタイミングＴ０、図５のステップＳ８）。
【００４０】
従って、通常表示モードでは、主制御部１はアクティブ状態にあり、第１のクロック部１０および第２の制御部２０はオン状態となって、ＬＣＤ４を制御する。一方、省電力表示制御部２はスリープ状態にあり、第２のクロック部４０および第２の制御部５０はオフ状態である。
【００４１】
そして、中央処理部２１からのＭＵＸ切替２１ａ信号により、ＭＵＸ３は第１の表示コントローラ２４からの表示データ２４ａを選択するように切り替える。中央処理部２１は、併せて第１の表示コントローラ２４に対して通常表示モードを指示すると、第１の表示コントローラ２４はＬＣＤ４を通常表示モードに設定する。
【００４２】
また、中央処理部２１は、画像データを第１の表示コントローラ２４へ送信する。第１の表示コントローラ２４は、その画像データをＬＣＤ４のフォーマットに変換し、表示データ２４ａ信号として、ＭＵＸ３を経由してＬＣＤ４へ送信する。ＬＣＤ４はこの表示データを表示する。
【００４３】
上記通常表示モードにおいては、中央処理部２１からの画像データが変化する時は、第１の表示コントローラ２４から新しい表示データがＬＣＤ４へ送信される。一方、中央処理部２１からの画像データが変化しない時は、第１の表示コントローラ２４に保持される同一の表示データが読み出され、１秒間に数１０回の頻度でＬＣＤ４へ送信される。
【００４４】
次に、通常表示モードから省電力表示モードへの切り替え時の制御について説明する。中央処理部２１は、キー入力部３０からのキー入力や内部処理がない状態をウォッチしており、何も動作が無い状態が一定時間（例えば、２０秒間）経過すると（ステップＳ９）、通常表示モードから省電力表示モードに切り替える（ステップＳ２０）。
【００４５】
この切り替え時のタイミングをＴ１とすると、その時の一連の処理を以下に説明する。中央処理部２１からの指定により、第１の表示コントローラ２４はＬＣＤ４の表示モードを通常表示モードから省電力表示モードに切り替える（ステップＳ２１）。また、中央処理部２１からのＭＵＸ切替２１ａ信号により、ＭＵＸ３は第２の表示コントローラ５１からの表示データ５１ａを選択出力する（ステップＳ２２）。また、中央処理部２１からの省電力表示アクティブ信号２１ｃ信号が第２のクロック部４０および第２の制御部５０に出力され（ステップＳ２３）、第２のクロック部４０および第２の制御部５０をオン状態にし、省電力表示制御部２はアクティブ状態になる（ステップＳ５０）。
【００４６】
次に、中央処理部２１は、現在の時刻を以下のように確認する。第１のクロック部１０内のＲＡＭ１３には、過去のある時点の時刻およびその時のＲＴＣ回路１１のカウンタ値が記憶されている。中央処理部２１は、現在のＲＴＣ回路１１のカウンタ値をカウンタ１１ａから読み取る。そして、ＲＡＭ１３からの過去のカウンタ値とＲＴＣ回路１１からの現在のカウンタ値との差分により、現在の時刻を算出する。そして、そして、中央処理部２１は、その算出した現在の時刻と、その時のＲＴＣ回路１１のカウンタ値を、ＲＡＭ１３に書き込む（ステップＳ２４）。
【００４７】
上記の計算で求めた現在の時刻を、例えば「１２時４５分３０秒」とすると、中央処理部２１はその時刻表示データとして「１２：４５」をアクティブ状態にある第２の表示部５０の第２の表示コントローラ５１へ送信する（ステップＳ２５）。
【００４８】
そして、中央処理部２１は、主制御スリープ信号２１ｄ信号を出力することにより、第１のクロック部１０および第１の制御部２０がオフ状態となり、その結果、主制御部１がスリープ状態となる（ステップＳ２６）。これにより、中央処理部２１自体もオフ状態になる（ステップＳ２７）。
【００４９】
上記ステップＳ２３において、オン状態（ステップＳ５０）になった第２の制御部５０の第２の表示コントローラ５１はステップＳ５０の状態となり、中央処理部２１から送信された現在の時刻「１２：４５」が表示データ５１ａ信号として、ＭＵＸ３を経由してＬＣＤ４へ送信され（ステップＳ５１）、ＬＣＤ４には、図３（ｂ）のように「１２：４５」と表示される。
【００５０】
また、中央処理部２１から送信された現在の時刻「１２時４５分３０秒」が第２の表示コントローラ５１を介してＲＡＭ４３に記録されると共に、ＲＴＣ回路４１にもプリセットされる（ステップＳ５２）。これにより、第１のクロック部１０の時刻情報が、第２のクロック部４０へロードされる。
【００５１】
以上の処理が終了すると、第２の表示コントローラ５１は、第２制御オフ信号５１ｂ信号を出力して（ステップＳ５３）、第２の制御部５０をオフ状態とし（ステップＳ５４）、タイミングＴ１での処理を終了する。これにより、省電力表示制御部２はスリープ状態となる（タイミングＴ１２）。
【００５２】
このタイミングＴ１２のスリープ状態では、第２の制御部５０のみをオフ状態とし、第２のクロック部４０の電源はオフにしない。従って、第２のクロック部４０による時刻カウントを継続する必要がある。
【００５３】
次に、省電力表示中の制御について説明する。ＬＣＤ４は、表示データが送られて来ない状態のタイミングＴ１２の期間、自己リフレッシュを行う。
【００５４】
図６は、第２のクロック部４０の省電力表示中の動作を示している。第２のクロック部４０は、前述のタイミングＴ１（１２時４５分３０秒）から３０秒経過した１２時４６分００秒のタイミングＴ２において（ステップＳ４１）、１分経過信号４１ｂを第２の制御部５０に出力する（ステップＳ４２）。これは、ＲＴＣ回路４１は、「００秒」の時に１分経過信号４１ｂを出力するように設定されることにより行われる。その時刻表示の切り替えは、例えば１２時４５分５９秒から１２時４６分００秒になった時に、表示を「１２：４５」から「１２：４６」に切り替えるためである。
【００５５】
タイミングＴ２において、この１分経過信号４１ｂにより第２の制御部５０は再びオン状態となり、省電力表示制御部２はアクティブ状態となって、第２の表示コントローラ５１の動作がスタートする（ステップＳ５５）。第２の表示コントローラ５１は、現在時刻を確認するが、この時の時刻情報は、第２のクロック部４０の時刻情報を使用する。つまり、第２の表示コントローラ５１は、ＲＴＣ回路４１の現在のカウンタ値をカウンタ５１ａから読み取る。そして、第２の表示コントローラ５１はＲＡＭ４３からの過去のカウンタ値とＲＴＣ回路４１からの現在のカウンタ値との差分により、現在の時刻を算出する。そして、第２の表示コントローラ５１は算出した現在の時刻とＲＴＣ回路４１のカウンタ値を、ＲＡＭ４３に書き込む（ステップＳ５６）。
【００５６】
上記現在の時刻「１２時４６分００秒」が得られると、第２の表示コントローラ５１は、「１２：４６」を表示データ５１ａ信号としてＬＣＤ４に送信し（ステップＳ５７）、ＬＣＤ４には「１２：４６」が表示される。
【００５７】
以上の処理が終了すると、第２の表示コントローラ５１は、第２制御オフ信号５１ｂを出力して（ステップＳ５８）、第２の制御部５０はオフ状態となり（ステップＳ５９）、タイミングＴ２での処理を終了する。この時も、第２のクロック部４０の電源はオフにならず、第２のクロック部４０による時刻カウントを継続する。
【００５８】
次に、ＬＣＤ４は、表示データが送られて来ない状態のタイミングＴ２３の期間、自己リフレッシュを行う。また、タイミングＴ３以降、タイミングＴ２と同様の処理を１分毎に繰り返して、省電力表示モードでの時刻表示を継続する。
【００５９】
次に、省電力表示モードから通常表示モードへの切り替え時の制御について、図７を用いて説明する。省電力表示モード中に、使用者がキー操作を行うと、キー入力部３０からキー入力有り信号３０ａが出力され、それにより第１のクロック部１０および第１の制御部２０がオン状態となる。これにより、主制御部１がアクティブ状態となり（ステップＳ３１、Ｓ３２）、中央処理部２１の処理が開始する（ステップＳ１）。
【００６０】
使用者からのキー操作を行ったタイミングをＴｎとすると、その時の一連の処理を以下に説明する。中央処理部２１は、キー入力部３０からの信号をバス２０ａを介して読み取り、使用者によるキー入力であることを判別する（ステップＳ２）。次に、中央処理部２１は、ＭＵＸ切替信号２１ａをＭＵＸ３に送信して、第１の表示コントローラ２４からの表示データ２４ａを選択するように切り替える（ステップＳ３）。次に、中央処理部２１は、第１の表示コントローラ２４に通常表示モードを指定して、ＬＣＤ４の表示モードを省電力表示モードから通常表示モードに切り替える（ステップＳ４）。次に、中央処理部２１は、省電力表示アクティブ信号２１ｃを省電力表示制御部２に出力する。これにより、省電力表示制御部２の第２の制御部５０がオン状態となる（ステップＳ５）。なお、第２のクロック部４０は、オン状態が継続している。
【００６１】
第２の制御部５０の第２の表示コントローラ５１は、オン状態になると（ステップＳ５５）、第２のクロック部４０からの過去の時刻、過去のカウンタ値、現在のカウンタ値を読み取って、上記と同じ方法にて現在時刻を算出（更新）する。そして、同様に算出した現在の時刻と現在のカウンタ値をＲＡＭ４３に書き込む（ステップＳ５６）。
【００６２】
次に、中央処理部２１は、第２のクロック部４０から得た現在時刻を、第２の表示コントローラ５１を経由して、第１のクロック部１０へ送信する（ステップＳ６）。それが終了すると、中央処理部２１は省電力表示スリープ信号２１ｂを省電力表示制御部２に出力して、第２のクロック部４０および第２の制御部５０をオフ状態にして、スリープ状態にする（ステップＳ７）。これにより、第２の表示コントローラ５１の処理は終了する（ステップＳ５７）。
【００６３】
その後は、通常表示モードのタイミングＴ０（ステップＳ８）が継続し、同様に、キー入力のチェックを行う（ステップＳ９）。
【００６４】
なお、上記した内容は、使用者がＰＤＡの主電源を入れた状態での処理である。使用者がＰＤＡの電源を切った後は、第１のクロック部１０はバックアップ用の電池などで常時バックアップされており、継続して時刻のカウントが行われている。そして、ＰＤＡの電源が投入された時には、通常表示モードで動作する。
【００６５】
上記した第１の実施の形態における省電力表示モード時の消費電力の具体的な数値例を、以下に概略計算する。一般に、ＰＤＡ装置は、使用者が何もしない待機中の時間が長い。ゆえに、この待機中における省電力表示モードの消費電力が、電池の消耗に大きく影響する。
【００６６】
図４において、省電力表示モード中のタイミングＴ２、Ｔ３などの表示データの書き換え処理を主制御部１が行うとした場合で、且つ、表示データの書換えが行われないタイミングＴ１２、Ｔ２３、Ｔ３４…などの自己リフレッシュ中の消費電力が１０ｍＷ程度であるとする。また、タイミングＴ１、Ｔ２、Ｔ３…などは、主制御部１がアクティブ状態になって時計表示を行うものとする。すると、主制御部１の消費電力は３００ｍＷ程度である。また、タイミングＴ１、Ｔ２、Ｔ３…などのアクティブ期間が１秒間程度である。
【００６７】
従って、省電力表示モード時の平均消費電力ＡＣＰは、
ＡＣＰ＝１０ｍＷ＋（３００ｍＷ×１秒／６０秒）＝１０ｍＷ＋５ｍＷ＝１５ｍＷ
となる。
【００６８】
第１の制御部２０の動作は１分間に１回であるが、その平均消費電力は５ｍＷ程度であり、リフレッシュ中の消費電力１０ｍＷに比べて、大きな値を占める。
【００６９】
次に、本発明の第１の実施の形態について、同様に計算する。
【００７０】
タイミングＴ１２、Ｔ２３、Ｔ３４…などの自己リフレッシュ中の消費電力は、上記と同様に１０ｍＷ程度である。また、タイミングＴ１、Ｔ２、Ｔ３…などは、省電力表示制御部２がアクティブ状態になって時計表示を行っている。この省電力表示制御部２は、待機時の表示のみが主な機能であり、消費電力は３０ｍＷ程度である。また、タイミングＴ１、Ｔ２、Ｔ３…などのアクティブ期間は上記と同様に１秒間程度である。
【００７１】
従って、省電力表示モード時の平均消費電力ＡＣＰは、
ＡＣＰ＝１０ｍＷ＋（３０ｍＷ×１秒／６０秒）＝１０ｍＷ＋０．５ｍＷ＝１０．５ｍＷとなる。
【００７２】
１０．５ｍＷ／１５ｍＷ＝０．７
即ち、主制御部１でのみ制御した場合の平均消費電力に比べて、約３０％減少することが出来る。このことは、待機時の電池の使用時間を約３０％延ばすことができることを意味する。
【００７３】
上述した第１の実施の形態のＰＤＡによれば、待機中（スリープ状態）の表示制御は、消費電力の大きい主制御部１を使用しないで、省電力表示制御部２により行うことにより、大きな省電力効果を得ることができる。
【００７４】
また、安い汎用ＣＰＵチップを使用したＰＤＡでは、第１のクロック部１０のＲＴＣ回路１１からカウンタ信号１１ａを直接に第１の表示コントローラ５１に接続することができないことから、バス２０ａを経由して第１の表示コントローラ５１へ送信する必要がある。これを実行するためには消費電力の大きな制御部２０の中央処理部２１をオン状態にする必要があり、消費電力を増やすことになる。
【００７５】
これに対して第１の実施の形態のＰＤＡでは、第２のクロック部４０を新たに設けていることによって、第１のクロック部１０と第２のクロック部４０のみが、通常表示モードと省電力表示モードとで、相互にオン／オフ状態を繰り返すだけで済み、消費電力を抑えることが出来る。また、第２のクロック部４０を新たに設けても、通常表示モードと省電力表示モードの切り替わり時に、お互いの時刻情報を送信することにより、時刻情報の継承が問題なく行われる。
【００７６】
（第２の実施の形態）
本発明を適用したＰＤＡの第２の実施の形態について、図８および図９を用いて説明する。
【００７７】
第１の実施の形態では、主制御部１と省電力制御部２の時刻情報をお互いにロードすることにより、時刻情報の継承が問題なく行われることを説明したが、正確な時刻をカウントするためには、ＲＴＣ回路１１およびＲＴＣ回路４１の発振周波数は、共に高精度である必要がある。
【００７８】
そこで、第２の実施の形態は、ＲＴＣ回路１１の発振周波数は高精度とし、ＲＴＣ回路４１１の発振周波数は低精度とする場合に適用される。
【００７９】
以下、第１の実施の形態と同じ個所には同一の符号を付け説明を省略し、異なるところについて説明する。
【００８０】
高精度のクロック部１０１は、電源制御を含まず、常時オン状態にある。ＲＴＣ回路１１および水晶振動子１２の発振精度は、第１の実施の形態と同様に高精度である。
【００８１】
第２の制御部２０１の電源制御回路の「オン」条件に新たに、低精度のクロック部４０１からの１時間経過信号４１１ｃを加えている。それに伴う新たな処理を、中央処理部２１１およびＲＯＭ２２１によって実行される。
【００８２】
低精度のクロック部４０１のＲＴＣ回路４１１および水晶振動子４２１の発振精度は、クロック部１０１に比べて低精度である。また、ＲＴＣ回路４１１は、１時間経過信号４１１ｃを出力するように構成される。
【００８３】
また、第２の制御部５０１の電源制御回路の「オン」条件に新たに、低精度の第２のクロック部４０１からの１時間経過信号４１１ｃを加えている。それに伴う新たな処理を、第２の表示コントローラ５１１によって実行される。
【００８４】
上記のように構成されたＰＤＡの動作を、図９を用いて説明する。通常動作時の通常表示モード（タイミングＴ０）においては、第１の実施の形態と同様に、主制御部１ａがアクティブ状態となって、ＰＤＡ全体の機能およびＬＣＤ４への表示制御を行う。
【００８５】
通常表示モードから省電力表示モードへの切り替え時（タイミングＴ１）においては、第１の実施の形態と同様に、第１のクロック部１０１の時刻情報を第２のクロック部４０１にロードする。次に、主制御部１ａは、スリープ状態に移行するが、このスリープ状態では、主機能を行う第１の制御部２０１のみがオフ状態となり、高精度のクロック部１０１は、オン状態のままで時刻カウントを継続する。
【００８６】
省電力表示モード中の１分毎の時刻表示（タイミングＴ２、Ｔ３、・・・）は、第１の実施の形態と同様に、省電力表示制御部２ａが行う。また、その間隙は、ＬＣＤ４が自己リフレッシュ（タイミングＴ１２、Ｔ２３、Ｔ３４、・・・）を行う。
【００８７】
さて、低精度のクロック部４０１は、省電力表示モードに切り替わってから一定時間、例えば、１時間経過した時点（タイミングＴｍ）において、１時間経過信号４１１ｃを出力し、第１の制御部２０１および第２の制御部５０１をオン状態にし、一旦、主制御部１ａをアクティブ状態にする。
【００８８】
このタイミングＴｍにおける一連の処理を以下に説明する。オン状態になった第１の制御部２０１の中央処理部２１１は、高精度の第１のクロック部１０１からカウンタ値、過去の時刻などを読み出して、上述した通り現在時刻を算出する。そして、この算出した時刻情報を、オン状態になった第２の制御部５０１の第２の表示コントローラ５１１に送信する。第２の表示コントローラ５１１は、この時刻情報を、低精度のクロック部４０１にセットし、正しい時刻に設定する。
【００８９】
それが終了すると、中央処理部２１１は、主制御スリープ信号２１１ｄを出力して、第１の制御部２０１をオフ状態にし、主制御部１をスリープ状態とする。これにより、中央処理部２１１自体もオフ状態となる。
【００９０】
また、第２の表示コントローラ５１１は、第２制御オフ信号５１１ｂ第２制御オフ信号５１１ｂを出力して、第２の制御部５０１をオフ状態にし、省電力表示制御部２ａをスリープ状態とする。これにより、第２の表示コントローラ５１１自体もオフ状態となる。以上の処理でタイミングＴｍにおける処理が終了する。
【００９１】
以降、タイミングＴｍにおける処理が１時間毎に繰り返され、消費電力の大きい主制御部１ａがアクティブ状態となるが、その処理は１秒間程度であり、消費電力の増加は、ほとんど無視できる程度に小さい。
【００９２】
次に、タイミングＴｎにおいて、キー入力部３０から使用者によるキー入力があると、主制御部１ａはアクティブ状態となり、一方、省電力表示制御部２ａはスリープ状態のままである。この時、低精度の第２のクロック部４０１の時刻を、高精度の第１のクロック部１０１へロードすることは行わない。
【００９３】
上述した第２の実施の形態のＰＤＡによれば、上述した第１の実施の形態と同様に待機中（スリープ状態）の表示制御は、消費電力の大きい主制御部１を使用しないで、省電力表示制御部２により行うことにより、大きな省電力効果を得ることができる。更に、低精度の第２のクロック部４０１であっても、時刻の誤差を少なくすることができ、安価な第２のクロック部４０１を使用することができる。
【００９４】
（第３の実施の形態）
本発明を適用したＰＤＡの第３の実施の形態について、図１０および図１１を用いて説明する。
【００９５】
第３の実施の形態では、ＲＴＣ回路１１２の発振周波数は低精度とし、ＲＴＣ回路４１２の発振周波数は高精度とする場合に適用される。
【００９６】
以下、第１の実施の形態と同じ個所には同一の符号を付けてその説明を省略し、異なるところについて説明する。
【００９７】
低精度の第１のクロック部１０２のＲＴＣ回路１１２および水晶振動子１２２の発振精度は、高精度の第２のクロック部４０２に比べて低精度である。
【００９８】
第１の制御部２０２は、通常表示モード中における時刻処理を新たに中央処理部２１２およびＲＯＭ２２２によって実行するように構成されている。
【００９９】
高精度の第２のクロック部４０２は、電源制御を含まないで、常時オン状態にある。また、ＲＴＣ回路４１２および水晶振動子４２２の発振精度は、低精度の第１のクロック部１０２に比べて高精度である。また、ＲＴＣ回路４１２は、１時間経過信号４１２ｃを第２の制御部５０２に出力する。
【０１００】
第２の制御部５０２の電源制御回路の「オン」条件に新たに、高精度の第２のクロック部４０２からの１時間経過信号４１２ｃを加えている。それに伴う新たな処理を、表示コントローラ５１２が実行するように構成されている。
【０１０１】
上記のように構成されたＰＤＡの動作を、図１１を用いて説明する。この第３の実施の形態では、省電力表示モード中は、省電力表示制御部２ｂがアクティブ状態を繰り返して、時刻表示を行う。
【０１０２】
省電力表示モードから通常表示モードへの切り替え時（タイミングＴｎ）においては、第１の実施の形態と同様に、高精度の第２のクロック部４０２の時刻情報を低精度の第１のクロック部１０２に送信する。しかし、その後、高精度の第２のクロック部４０２をオフ状態にしないで、高精度の第２のクロック部４０２はオン状態のままで時刻カウントを継続する。
【０１０３】
さて、通常表示モード中は、中央処理部２１２は、低精度の第１のクロック部１０２を基にして時刻管理を行う。ところが、第１のクロック部１０２は低精度であるために、次第に時刻がずれてくる可能性が有る。
【０１０４】
そこで、高精度の第２のクロック部４０２は、通常表示モードに切り替わってから一定時間、例えば１時間経過した時点（タイミングＴｐ）において、１時間経過信号４１２ｃを出力して、第２の制御部５０２をオン状態にし、省電力表示制御部２ｂを一旦アクティブ状態する。
【０１０５】
なお、この１時間のカウントは、アクティブ状態の中央処理部２１２が行って、１時間経過信号として省電力表示アクティブ信号２１２ｃを出力して、第２の制御部５０２をオン状態にしてもよい。
【０１０６】
このタイミングＴｐにおける一連の処理を以下に説明する。オン状態になった第２の制御部５０２の第２の表示コントローラ５１２は、高精度の第２のクロック部４０２からカウント値、過去の時刻などを読み出して、上述した通り現在の時刻を算出する。そして、その算出した現在の時刻を割り込み等により中央処理部２１２へ連絡する。
【０１０７】
中央処理部２１２は、第２の表示コントローラ５１２を経由して、高精度の第２のクロック部４０２からの現在の時刻を受信すると、低精度の第１のクロック部１０２にセットし、正しい時刻に設定する。
【０１０８】
次に、第２の表示コントローラ５１２は、第２制御オフ信号５１２ｂを出力して、第２の制御部５０２をオフ状態にし、省電力表示制御部２ｂをスリープ状態にする。これにより、第２の表示コントローラ５１２自体もオフ状態となる。以上の処理でタイミングＴｐにおける処理が終了する。以降、タイミングＴｐにおける処理が１時間毎に繰り返される。
【０１０９】
この通常表示モード中においても、使用者が時刻を知りたいために、キー入力部３０のキー操作を行って、時刻表示を行う場合がある。その場合、中央処理部２１２は、１時間毎に正しい時刻にセットされた低精度の第１のクロック部１０２の時刻情報を使って表示することができる。
【０１１０】
次に、この通常表示モードの状態においてキー入力無しの状態が一定時間、例えば２０秒間継続すると、そのタイミングＴｑで中央処理部２１２は、主制御部１ｂをスリープ状態にすると共に、省電力表示制御部２ｂをアクティブ状態にして、省電力表示モードに切り替える。
【０１１１】
上述した第３の実施の形態のＰＤＡによれば、低精度の第１のクロック部１０２であっても、時計表示の誤差を少なくすることができ、安価な第１のクロック部１０２を使用することができる。
【０１１２】
（第４の実施の形態）
本発明を適用したＰＤＡの第４の実施の形態について、図１２および図１３を用いて説明する。第４の実施の形態では、時刻カウントを行うクロック部は、省電力表示制御部２ｃのクロック部４０３のみとする。主制御部１ｃのクロック部は、時刻カウント以外の用途がない場合を考慮して、削除している。
【０１１３】
以下、第１の実施の形態と同じ個所には同一の符号を付けてその説明は省略し、異なるところについて説明する。
【０１１４】
主制御部１ｃには、クロック部を備えない。汎用ＣＰＵチップなどにＲＴＣ回路が内蔵している場合であっても、その機能を使用しない。
【０１１５】
第１の制御部２０３は、通常表示モード中に、時刻処理を新たに中央処理部２１３およびＲＯＭ２２３が実行するように構成されている。
【０１１６】
クロック部４０３は、電源制御を含まず、常時オン状態にある。ＲＴＣ回路４１および水晶振動子４２の発振精度は、第１の実施の形態と同様、高精度である。
【０１１７】
第２の制御部５０３の第２の表示コントローラ５１３は、新たに、通常表示モード中の時刻処理を有するように構成されている。
【０１１８】
上記のように構成されたＰＤＡの動作を、図１３を用いて説明する。この第４の実施の形態でも、省電力表示モード中は、省電力表示制御部２ｃが、アクティブ状態を繰り返して、時刻表示を行う。
【０１１９】
また、省電力表示モードから通常表示モードへの切り替え時においては、時刻情報の送信は行わない。単に、主制御部１ｃをアクティブ状態にする。そして、クロック部４０３は、オン状態のままで時刻カウントを継続する。
【０１２０】
さて、通常表示モード中に、使用者の指示で時刻表示を行ったり、メールに時刻を添付するなど、時刻情報が必要な時が発生した時のタイミングをＴｒとする。すると、その時刻に、中央処理部２１２は省電力表示アクティブ信号２１３ｃを第２の制御部５０３に出力して、この制御部５０３をオン状態にする。
【０１２１】
次に、タイミングＴｒにおける一連の処理を以下に説明する。通常表示モードにおいて、オン状態になった第２の制御部５０３の第２の表示コントローラ５１３は、高精度のクロック部４０３からカウンタ値、過去の時刻などを読み出して、上述の通り現在の時刻を算出する。
【０１２２】
そして、中央処理部２１２は、第２の表示コントローラ５１３を経由してクロック部４０３からの現在の時刻を受け取り、ＬＣＤ４への時刻表示などに使用する。それが終わると、中央処理部２１２は、省電力表示スリープ信号２１３ｂを第２の制御部５０３に出力して、第２の表示コントローラ５１３をオフ状態にする。以上でタイミングＴｒにおける処理を終了する。
【０１２３】
次に、通常表示モードにおいてキー入力無しの状態が一定時間、例えば２０秒間継続したタイミングをＴｑとすると、中央処理部２１３は、主制御部１ｃをスリープ状態にすると共に、省電力表示制御部２ｃをアクティブ状態にして、省電力表示モードに切り替える。
【０１２４】
上述した第４の実施の形態のＰＤＡによれば、上述した第１の実施の形態と同様に待機中（スリープ状態）の表示制御は、消費電力の大きい主制御部１を使用しないで、省電力表示制御部２により行うことにより、大きな省電力効果を得ることができる。更に、クロック部が１個であっても、省電力モードおよび通常表示モードで共用することができて、安価な構成で、省電力を行うことができる。
【０１２５】
なお、上述した各実施の形態においては、ＰＤＡに適用したが、携帯電話機などにおいても、本発明を有効に適用し得ることは言うまでもない。
【０１２６】
【発明の効果】
本発明によれば、待機中（スリープ状態）の省電力表示は、専用の省電力表示制御部が行い、消費電力の大きな主制御部をスリープ状態とするため、大きな省電力効果を得ることが可能となる。
【図面の簡単な説明】
【図１】本発明に関わる第１の実施の形態を示すＰＤＡのブロック図。
【図２】図１に示したＰＤＡの電源制御回路の回路図。
【図３】一般的なＬＣＤの表示画面図。
【図４】図１に示したＰＤＡの表示制御を表わすタイムチャート。
【図５】図１に示したＰＤＡの表示制御を表わすフローチャート。
【図６】図１に示したＰＤＡの表示制御を表わすフローチャート。
【図７】図１に示したＰＤＡの表示制御を表わすフローチャート。
【図８】本発明に関わる第２の実施の形態を示すＰＤＡのブロック図。
【図９】図８に示したＰＤＡの表示制御を表わすタイムチャート。
【図１０】本発明に関わる第３の実施の形態を示すＰＤＡのブロック図。
【図１１】図１０に示したＰＤＡの表示制御を表わすタイムチャート。
【図１２】本発明に関わる第４の実施の形態を示すＰＤＡのブロック図。
【図１３】図１２に示したＰＤＡの表示制御を表わすタイムチャート。
【符号の説明】
１、１ａ、１ｂ、１ｃ  主制御部
２、２ａ、２ｂ、２ｃ  省電力表示制御部
３  マルチプレクサ
４  ＬＣＤ
１０、１０１、１０２  第１のクロック部
１１、１１２、  ＲＴＣ回路
１２、１２２  水晶振動子
１３  ＲＡＭ
１４  フリップフロップ
１５  トランジスタ
２０、２０１、２０２、２０３  第１の制御部
２１、２１１、２１２、２１３  中央処理部
２２、２２１、２２２、２２３  ＲＯＭ
２３  ＲＡＭ
２４  第１の表示コントローラ
３０  キー入力部
４０、４０１、４０２、４０３  第２のクロック部
４１、４１１、４１２  ＲＴＣ回路
４２、４２１、４２２  水晶振動子
４３  ＲＡＭ
５０、５０１、５０２、５０３  第２の制御部
５１、５１１、５１２、５１３  第２の表示コントローラ
【図１】
2004288087.tif 000003
【図２】
2004288087.tif 000004
【図３】
2004288087.tif 000005
【図４】
2004288087.tif 000006
【図５】
2004288087.tif 000007
【図６】
2004288087.tif 000008
【図７】
2004288087.tif 000009
【図８】
2004288087.tif 000010
【図９】
2004288087.tif 000011
【図１０】
2004288087.tif 000012
【図１１】
2004288087.tif 000013
【図１２】
2004288087.tif 000014
【図１３】
2004288087.tif 000015